(57)【要約】      （修正有）【課題】再生医療の技術を収集しかつ実施する管理システムを提供する。【解決手段】再生医療の技術を医学研究所・医療メーカー等の開発者から収集して病院・クリニック等の実施者に供与し、かつ、再生医療の技術を有する実施者が患者等を治療し、再生医療を啓発及び普及するために、運営者は、開発者及び実施者を募集し、事業者の開発者及び実施者と業務連携契約を締結し、かつ、患者を募集し、患者や実施者と医療連携契約を締結することにより、開発者を募集して再生医療の技術を収集するとともに、実施者を募集して開発者から実施者に供与する過程、患者等を募集して患者等を実施者に紹介し再生医療の治療を受けさせる過程、これらの過程に起因する費用を明確にする過程を管理するために、管理センターを設置し、再生医療技術の収集・供与・治療及び費用に関する情報に対応する再生医療技術の収集及び実施の管理システム。【選択図】図１
2013127762.tif 000002
【特許請求の範囲】
【請求項１】
医学研究所・医療メ−カ−等の開発者から再生医療の技術を収集して病院・クリニック等の実施者に供与し、かつ、この再生医療の技術を有する実施者に、成人病・難病等を始め疾病者、身体障害者、放射能被爆者、老化、シミ・シワ、肥満等の身体劣化の者に限らず、病気のペットを含めた患者等を治療・矯正させ、ヒト・ペットの健康や美容を回復・維持し、再生医療を啓発及び普及するために、運営者は、開発者及び実施者を募集し、事業者の開発者及び実施者と業務連携契約を締結し、かつ、患者等を募集し、患者等や実施者と医療連携契約を締結することによって、開発者を募集して再生医療の技術を収集すると共に、実施者を募集して再生医療の技術を開発者から実施者に供与する過程、患者等を募集して患者等を実施者に紹介して再生医療の治療を受けさせる過程、これらの過程に起因する費用を明確にする過程を管理するために、管理センタ−を設置し、また、事業者及び患者等が再生医療の技術を収集・供与・治療する過程及びこれらに起因する費用を明確にする過程に関する情報について、これらの情報を事業者及び患者等が入力・送受信・表示する機能を有する端末装置、かつ、これらの情報を管理センターが受容・登録・格納・表示し、かつ、事業者及び患者等の端末装置に送信する機能を有する中央演算装置をもって構成し、また、事業者及び患者等の端末装置と管理センターの中央演算装置において、再生医療の収集及び供与、実施者の再生医療の治療、これらに起因する費用に関する情報の送受信・表示等は、インターネットを通して行われ、また、管理センターの中央演算装置は、通信手段・記憶手段・管理手段・検索手段・蓄積手段等を具備し、事業者及び患者等の端末装置からインターネットを介して送信される、再生医療技術の収集・供与・治療及び費用に関する情報に対応することを特徴とする再生医療技術の収集及び実施の管理システム。
【請求項２】
運営者は、管理センターを通して、幹細胞の採取及び保管をする預託（バンキング）に関する業務連携契約を実施者と締結し、患者等の事故・発病・老化による将来の再生医療に準備するために、将来の患者等を募集して、将来の患者等を実施者に紹介して幹細胞の預託を受けさせる過程、これに起因する費用を明確にする過程を管理し、再生医療の実施を支援ことによって、再生医療の普及を図ることを特徴とする請求項１項の再生医療技術の収集及び実施の管理システム。
【請求項３】
運営者は、管理センターを通して、観光旅行と再生治療を兼ね合わせた旅行随伴医療（メディカル・ツーリズム）に関する業務連携契約を旅行社及び実施者と締結し、患者等の募集を通して、患者等を旅行社及び実施者に紹介して旅行随伴医療を受けさせる過程を管理し、かつ、これに起因する費用を明確にすることによって、再生医療の実施を支援し、再生医療の普及を図ることを特徴とする請求項１項の再生医療技術の収集及び実施の管理システム。
【請求項４】
運営者は、管理センターを通して、再生医療の治療費の支払を容易にするために、銀行の融資又は保険の適用に関する業務連携契約を銀行又は保険会社と締結し、患者等の募集を通して、患者等を銀行又は保険会社に紹介して銀行の融資又は保険の適用を受けさせる過程、かつ、これに起因する費用を明確にする過程を管理することによって、再生医療の実施を支援し、再生医療の普及を図ることを特徴とする請求項１項の再生医療技術の収集及び実施の管理システム。
【請求項５】
運営者は、管理センターを通して、再生医療の治療費の支払に困窮する患者等を救済するために、治療費の社会的な支援に関する協賛契約を多数の企業と締結し、企業の募集を通して、企業の協賛金を集め患者等の治療費にあてる過程、また、これに関する協賛金を明確にする過程を管理することによって、再生医療の実施を支援し、再生医療の普及を図ることを特徴とする請求項１項の再生医療技術の収集及び実施の管理システム。
【発明の詳細な説明】
【０００１】  本発明は、再生医療技術を収集及び実施する事業、あるいは、実施を支援する事業を管理するシステムに関する。
【背景技術】
【０００２】  現代生活の課題は、成人病・難病等を始め疾病者、身体障害者、放射能被爆者を治療し、また、老化、シミ・シワ、肥満等に悩む者を矯正し、更に、家族同様のペット（ペットを含め、患者等という）を治療することによって、ヒトの健康や美容のみならず、ペットの健康を維持・回復することにある。【０００３】  患者等の健康や美容の維持・回復・増進を図るためには、最適な医療技術が必要となり、また、現在、幹細胞の利用による再生医療として現実化している。これは、幹細胞の種類に応じて、臨床利用されている。一つは、ＥＳ細胞（胚性幹細胞）であり、二つは、ＩＰＳ細胞（人工多能性幹細胞）であり、三つは、体性幹細胞、特に、間葉系幹細胞である。【０００４】  脂肪組織由来の間葉系幹細胞（以下、幹細胞という）を利用すると、ＥＳ細胞やＩＰＳと比べて、奇形腫の形成、また、腫瘍化や免疫拒絶といった問題が生じないし、また、完全無血清培養をもって、細胞を分化させずに、かつ、画期的なスピードを有する細胞培養技術を活用するので、安全かつ高品質である。そこで、この幹細胞は、現在、臨床利用に適する医療技術となっている。【０００５】  患者等、特に、人道支援（コンパッショネートユース）の観点から、福島原発による放射能被爆者、また、ガン等の難病に苦しむ患者にとって、この再生医療の技術は緊急かつ重要な課題と考えられる。現在、再生医療の６００症例の成功がみられる。しかし、この再生医療の技術は、必ずしも、患者等のみならず、病院・クリニック（病院等という）でも一般的な臨床利用となっていないのが現状である。【０００６】  この理由をあげると、次の通りである。一つは、患者等が、どこの病院等に行けば、再生医療について最適な治療を受けることができるのか、という情報の提供を受けていないことである。二つは、病院等も、再生医療の治療に関する技術をどのように臨床利用するのか、という技術の提供を受けていないことである。【０００７】  そうすると、現在、この再生医療の技術を臨床利用する可能性について、患者等や病院等を含め、広く社会一般に啓発及び普及をする活動が切望されている。このために、再生医療に関する最新の技術を医学研究所・医療技術メーカー等から収集し、かつ、この技術を病院等に供与し、また、この技術を
利用して病院等が患者等を治療する体制を整える必要がある。【０００８】  ところが、再生医療の治療を受ける必要のある患者等は、治療費支払という観点からみると、三つに分類できる。治療費の支払に余裕のある国内外の患者等、治療費の一括支払には躊躇する患者等、生活に困窮して治療費の支払ができない患者等である。そこで、これらの者に対応した実施の支援を考慮すべきである。【０００９】  資金に余裕のある患者等に対して、次のような支援が考えられる。一つは、旅行随伴医療（メディカル・ツーリズム）であり、観光旅行を楽しみながら、人間ドックを始め、再生医療をも受けることができる。他は、幹細胞預託（バンキング）であり、将来の事故・発病・老化にあたり、採取・培養しかつ保管した幹細胞をもって再生治療する。【００１０】  資金に余裕のない患者等に対して、次のような支援が考えられる。一つは、銀行融資であり、銀行から資金の融資を受けて、治療費を一括払いした後、銀行に数回に分けて返済をする。他は、保険の適用であり、再生医療の保険に予め加入して、保険料の支払を続けながら、保険金をもって治療費の支払にあてる。【００１１】  資金を有しない患者等，または、福島原発による放射能被爆者に対して、人道支援の観点から、社会的な支援が考えられる。ベルマークの協賛制度を例にとり、商品の販売やサービスの提供にあたり、企業は、売上げの一定割合を寄付し、また、消費者は、ポイントを貯めて寄付する。【００１２】  再生医療の治療を受ける必要のある患者等に対して、いろいろな実施の支援の方法があったとしても、再生医療技術そのものと同じく、患者等や病院等によって利用されることにはならない。それは、病院等は、これらの方法を患者等に周知させるべき体制にないし、従って、患者等も、これらの情報を知る術もないからである。
【先行技術文献】
【技術文献】
【００１３】
【特許文献１】  特になし。
【発明の概要】
【発明が解決しようとする課題】
【００１４】  本発明が解決しようする問題点は、次の通りである。【００１５】  先ず、アトピ−・ポリオ・脳性麻痺・白血病等の難病、高血圧・腎臓病・糖尿病・癌等の成人病等、いろいろな疾病に苦しむ者、半身不随等の身体障害者、スポーツによる事故者、放射能被爆者を治療し、また、老化、シミ・シワ、貧乳・肥満、薄毛等の身体の劣化に悩む者を矯正し、更に、家族同様のペットを治療することによって、患者等の健康や美容を維持・回復・増進するために、特に、福島原発による放射能被爆者や難病患者を救済するために、再生医療の技術が必要となる。【００１６】  しかし、再生医療の最新技術が次々に開発され、現在、６００症例を数えることができたとしても、これを臨床利用すべき病院等がこの技術の情報を知らず、または、これを利用する技術をも持たないときには、患者等に対する予防や治療をすることもできないので、病院等が最新の再生医療技術に関する情報を知る手段が必要となる。【００１７】  また、再生医療の最新技術が次々に開発され、また、この技術を病院等が臨床利用していたとしても、このような病院等の存在に関する情報を患者等が知らなければ、患者等は、予防や治療を受けることができないので、患者等が最新の医療を利用する病院の存在に関する情報を知る手段が必要となる。【００１８】  そうすると、再生医療の最新技術に関する情報を病院等が知り、かつ、これを実施し、また、この技術を有する病院等の存在に関する情報を患者等も知り、かつ、その治療を受けることが必要である。患者等、特に、福島原発による放射能被爆者や難病患者にとっては、再生医療の技術は緊急かつ重要な課題である。【００１９】  更に、再生医療を受ける必要のある患者等は、治療費の支払の観点から、いろいろなタイプに分類できるので、それぞれに対応した実施の支援をする必要がある。資金余裕のある患者等に対しては、旅行随伴治療又は幹細胞預託（バンキング）、一括支払を困難とする患者等に対しては、銀行の融資又は保険の適用、資金に困窮する患者等に対しては、治療費の社会的な負担を考える必要がある。【００２０】  しかし、再生医療を受ける必要のある患者等に対し、これを実施するための支援の方法がいろいろあったとしても、再生医療技術そのものと同じく、病院等もこれらの方法を患者等に周知させる体制になっていないので、患者等は、これらの方法及び効果的な利用に関する情報の提供を受ける必要がある。
【課題を解決するための手段】
【００２１】  本発明が解決する手段は、次の通りである。【００２２】  先ず、成人病・難病等の各種疾病者、身体障害者、放射能被爆者を治療し、かつ、老化、肥満、薄毛、シミ・シワ等の身体劣化に悩む者を矯正するのみならず、家族同様のペットの疾病をも治療し、ヒト・ペットの患者等（４）の健康や美容を維持・回復する目的をもって、再生医療技術を収集しかつ実施し、あわせて、これらに起因する費用を明確化し、再生医療を普及するために構築された、再生医療技術の収集及び実施の管理システムである。【００２３】  このシステムは、運営者（１）が、医学研究所・医療技術メーカー等の開発者（２）、病院・クリニック等の実施者（３）を募集し、これら事業者（２）（３）との間に業務連携契約を締結し、また、患者等（４）を募集し、これら患者等（４）や実施者（３）との間に医療連携契約を締結することによって、管理センタ−（１０）を設置して、再生医療技術を開発者（２）から実施者（３）に供与する過程、実施者（３）に患者等（４）を紹介して治療（８）を受けさせる過程、これらの過程から発生する費用を明確にする過程を管理することにある。【００２４】  このシステムは、事業者（２）（３）や患者等（４）が再生医療技術の収集（５）・供与（６）・紹介（７）・治療（８）に関する情報を入力・送受信・表示する機能を有する端末装置、また、管理センター（１０）が再生医療技術の収集（５）・供与（６）・紹介（７）・治療（８）及びこれらに起因する費用に関する情報を受容・登録・格納・表示し、かつ、事業者（２）（３）や患者等（４）の端末装置に送信する機能を有する中央演算装置（１１）から構成されている。【００２５】  このシステムを構成する管理センター（１０）の中央演算装置（１１）と事業者（２）（３）や患者等（４）の端末装置との間において、開発者（２）と実施者（３）の募集による再生医療技術の収集（５）と供与（６）、また、患者等（４）の募集による実施者（３）の再生医療の紹介（７）と治療（８）、更に、これらに起因する費用に関する情報の送受信・表示等は、インターネット（９）を通して行われる。【００２６】  管理センター（１０）の中央演算装置（１１）は、通信手段（１２）、記憶手段（１３）、管理手段（１４）、検索手段（１５）、蓄積手段（１６）等を具備するものであって、事業者（２）（３）や患者等（４）の端末装置から、インターネット（９）を介して送信されて来る、再生医療技術の収集（５）・供与（６）・紹介（７）・治療（８）及び費用に関する情報に対応するものである。【００２７】  この外に、運営者（１）は、管理センター（１０）として、幹細胞預託（バンキング）に関する業務連携契約を実施者（３）と締結し、将来の患者等（４）の事故・発病・老化による再生医療の準備のために、将来の患者等（４）の募集を通して、将来の患者等（４）を実施者（３）に紹介（７）して幹細胞を採取・培養・保管する過程、これに起因する費用を明確化する過程を管理し、再生医療の実施を支援（２２）しかつ普及することもできる。【００２８】  運営者（１）は、管理センター（１０）として、観光旅行と再生治療を合わせた旅行随伴医療（メディカル・ツーリズム）に関する��務連携契約を旅行社（１９）及び実施者（３）と締結し、患者等（４）の募集を通して、患者等（４）を旅行社（１９）及び実施者（３）に紹介して旅行随伴医療を受けさせる過程、これに起因する費用を明確にする過程を管理し、再生医療の実施を支援（２２）しかつ普及することもできる。【００２９】  運営者（１）は、管理センター（１０）として、患者等（４）による再生医療の治療費の支払を容易にするために、銀行の融資又は保険の適用に関する業務連携契約を銀行（１９）又は保険会社（１９）と締結し、患者等（４）の募集を通して、患者等（４）を銀行（１９）又は保険会社（１９）に紹介して銀行の融資又は保険の適用を受けさせる過程、これらに起因する費用を明確にする過程を管理し、再生医療の実施を支援（２２）しかつ普及することもできる。【００３０】  運営者（１）は、管理センター（１０）として、患者等（４）による再生医療の治療費の支払の困難を解消するために、治療費の社会的な支援に関する協賛契約を複数の企業（１９）と締結し、企業（１９）の募集を通して、企業（１９）から集めた協賛金を患者等（４）の治療費にあてる過程、これに関する協賛金を明確にする過程を管理し、再生医療の実施を支援（２２）しかつ普及することもできる。
【発明の効果】
【００３１】  本発明の効果は、次の通りである。【００３２】  先ず、本発明は、再生医療によって、ヒトの健康や美容のみならず、ペットの健康をも解決するものである。すなわち、再生医療は、アトピー・ポリオ・脳性麻痺・白血病等の難病、腎臓病・高血圧・糖尿病・癌等の成人病等に苦しむ疾病者、半身不随等の身体障害者、スポーツ事故による者、放射能被爆者を治療し、また、老化、肥満、貧乳、シミ・シワ等の身体の劣化に悩む者を矯正し、更に、家族同様のペットの疾病を治療することができる。【００３３】  次に、本発明は、再生医療技術の収集及び実施を通して、再生医療の技術の可能性について啓発や普及を目的とするものである。すなわち、誰でも再生医療の情報を知り得る機会を与えているので、どこの病院・クリニック等に行くならば、再生医療を受けることができるか、という判断ができる。【００３４】  更に、本発明は、再生医療技術の収集を続けることによって、再生医療に関する最先端の技術を患者等（４）に提供する機会を与えるものである。すなわち、どの病院・クリニック等の実施者（３）でも、医学研究所・医療技術メーカー等の開発者（２）によって開発された再生治療に関する最新の技術を導入し、再生治療の技術を臨床利用することができる。【００３５】  最後に、本発明は、再生医療を利用する患者等（４）に対応し、いろいろな支援を行うことができる。すなわち、資金に余裕のある患者等（４）には、旅行を楽しみながら再生医療の治療を受け、または、将来の再生医療の治療のために幹細胞の預託の機会を提供し、一括支払いに躊躇する患者等（４）には、治療費の一括支払ではなく、銀行融資や保険の適用を認め、資金に困窮する患者等（４）には、治療費の支払を社会的に負担する途を与えることができる。
【図面の簡単な説明】
【００３６】
【図１】  図１は、本発明のシステムの構成を示す図である。
【図２】  図２は、本発明のシステムにおける再生医療技術の収集と実施の過程を示す図である。
【図３】  図３は、本発明のシステムに付加した再生医療技術の実施を支援する過程をも示す図である。
【発明を実施するための形態】
【００３７】  本発明を実施するための形態は、次の通りである。
【００３８】  本発明は、再生医療技術の収集及び実施・支援の管理システムである。
【００３９】  本発明は、アトピー・ポリオ・脳性麻痺・白血病等の難病、糖尿病・腎臓病・高血圧・癌等の成人病、いろいろな疾病に悩む者、半身不随等の身体障害者、スポ−ツ事故による者、放射能被爆者を治療し、また、老化、肥満、貧乳、シミ・シワ、薄毛等の身体の劣化に悩む者を矯正し、更に、家族同様のペットの疾病を治療し、ヒトの健康や美容のみならず、ペットの健康を維持・回復する目的をもって、再生医療を利用するシステムである。
【００４０】  本発明は、運営者（１）が、開発者（２）や実施者（３）の募集を通して、業務連携契約を締結し、また、患者等（４）の募集を通して、患者等（４）や実施者（３）と医療連携を締結することによって、更に、実施者（３）、旅行社（１９）、銀行（１９）や保険会社（１９）、一般企業（１９）等の実施支援者（開発者・実施者に加えて、実施支援者をも事業者という）（１９）と医療支援契約を締結することによって、再生医療に関する最新技術を収集（５）・供与（６）及び紹介（７）・治療（８）し、あるいは、実施を支援（２０）し、これらに起因する費用を明確にする情報を管理するシステムである。
【００４１】  運営者（１）は、管理センタ−（２）として、再生医療に関する最新の技術を開発者から収集して実施者（３）に供与する過程を管理し、また、患者等（４）を実施者（３）に紹介（７）して最新の治療（８）を受けさせる過程を管理し、更に、実施支援者（１９）による再生医療の実施を支援させる過程を管理し、更に、これらから発生した費用を明確にする過程を管理する。
【００４２】  このシステムは、再生医療技術を収集（５）・供与（６）・紹介（７）・治療（８）・支援（２０）する過程及びこれらに起因する費用を明確にする過程に関する情報について、事業者（２）（３）（１９）や患者等（４）がこの情報を入力・送受信・表示する機能を有する端末装置、また、管理センターがこの情報を受容・登録・格納・表示し、かつ、事業者（２）（３）（１９）や患者等（４）の端末装置に送信する機能を有する中央演算装置（１１）から構成される。
【００４３】  このシステムを構成する事業者（２）（３）（１９）の端末装置と管理センター（１０）の中央演算装置（１１）との間において、開発者（２）及び実施者（３）の募集による再生医療技術の収集（５）と供与（６）、また、患者等（４）の募集による実施者（３）の再生医療の紹介（７）と治療（８）、また、実施支援者（１９）による実施の支援、更に、これらに起因する費用に関する情報の送受信・表示等は、インターネット（９）を通して行われる。
【００４４】  管理センター（１０）の中央演算装置（１１）は、通信手段（１２）、記憶手段（１３）、管理手段（１４）、検索手段（１５）、蓄積手段（１６）等を具備するものであって、事業者（２）（３）（１９）や患者等（４）の端末装置から、インターネット（９）を介して送信されて来る、再生医療技術の収集（５）・供与（６）・紹介（７）・治療（８）・支援（２０）及び費用に関する情報に対応するものである。
【００４５】  このシステムは、三つの過程から構成されている。一つは、再生医療に関する最新の技術の収集及び供与の過程であり、二つは、再生医療による患者等に対する紹介と治療の過程であり、三つは、患者等に対する再生医療の実施を支援する過程である。
【００４６】  第一に、再生医療に関する最新技術の収集及び供与である。運営者（１）は、再生医療技術を有する開発者（２）の募集を通して事業連携契約を締結することによって、再生医療技術を収集し、また、この技術を必要とする実施者（３）を募集することによって、再生医療技術を開発者（２）から実施者（３）に供与する過程である。
【００４７】  先ず、開発者（２）の募集である。運営者（１）は、再生医療技術の募集に関する情報を管理センタ―（１０）の中央演算装置（１１）に登録・格納した後、インターネット（９）の掲示板に開示し、開発者（２）を募集する。これに応じて、開発者（２）は、運営者（１）との業務連携契約の締結を考慮するとき、この契約締結に関する情報を求めて、端末装置から中央演算装置（１１）に送信する。
【００４８】  そうすると、運営者（１）は、開発者（２）との業務連携契約に関する情報を管理センター（１０）の中央演算装置（１１）に登録・格納した後、開発者（２）の端末装置に送信し、契約締結の諾否を求める。開発者（２）は、運営者（１）と業務連携し、従って、このシステムに参加を決定したとき、承諾に関する情報を端末装置に入力し、中央演算装置（１１）に送信する。
【００４９】  次に、実施者（３）の募集である。運営者（１）は、再生医療技術を必要とする実施者（３）の募集に関する情報を管理センター（１０）の中央演算装置（１１）に登録・格納した後、インターネット（９）の掲示板に開示し、実施者（３）を募集する。これに応じて、実施者（３）は、運営者（１）との業務連携契約の締結を考慮するとき、この情報を求めて、端末装置から中央演算装置（１１）に送信する。
【００５０】  そうすると、運営者（１）は、実施者（３）との業務提携契約に関する情報を管理センター（１０）の中央演算装置（１１）に登録・格納した後、実施者（３）の端末装置に送信し、契約締結の諾否を求める。実施者（３）は、運営者（１）と事業連携し、従って、このシステムに参加を決定したとき、承諾に関する情報を端末装置に入力し、中央演算装置（１１）に送信する。
【００５１】  更に、再生医療技術の供与である。運営者（１）は、実施者（３）の数及び内容に関する情報を管理センター（１０）の中央演算装置（１１）に登録・格納し、開発者（２）の端末装置に送信する。開発者（２）は、この情報を端末装置に入力し、また、再生医療技術を実施者（３）に供与する情報を端末装置に入力し、中央演算装置（１１）に送信する。
【００５２】  そうすると、運営者（１）は、再生医療技術に関する情報を中央演算装置（１１）に登録・格納し、実施者（３）の端末装置に送信する。開発者（２）は、端末装置から中央演算装置（１１）を介して実施者（３）の端末装置に送受信し、実施者（３）の質疑に応じ、また、実施者（３）の施設に医師・技術者の派遣を含め、実地の指導をし、更に、医薬品等の提供を決定する。
【００５３】  最後に、再生医療技術の収集過程から発生する費用は、開発者（２）が実施者（３）に請求する技術指導料・培養手数料、また、運営者（１）が開発者（２）及び実施者（３）に請求する運営手数料である。運営者（１）は、管理センター（１０）の中央演算装置（１１）をもって、開発者（２）及び実施者（３）の数、また、開発者（２）の技術指導の回数及び内容に関する情報を中央演算装置（１１）に登録・格納し、事業者（２）（３）の端末装置に送信する。
【００５４】  第二に、再生医療技術による患者等（４）の治療である。運営者（１）は、再生医療を必要とする患者等（４）の募集をし、また、実施者（３）や患者等（４）と医療連携契約を締結することによって、実施者（３）が患者等（４）に対して再生医療技術を実施する過程である。
【００５５】  先ず、患者等（４）の募集である。運営者（１）は、再生医療の治療に関する情報を管理センター（１０）の中央演算装置（１１）に登録・格納した後、この情報をインターネット（９）の掲示板に開示し、患者等（４）を募集する。これに応じて、患者等（４）は、再生医療に関する治療を考慮するとき、再生医療及び実施者（３）に関する情報を求めて、端末装置から中央演算装置（１１）に送信する。
【００５６】  そうすると、運営者（１）は、医療連携契約に関する情報を中央演算装置（１１）に登録・格納した後、患者等（４）の端末装置に送信し、契約締結の諾否を求める。患者等（４）は、医療連携をし、従って、このシステムに参加を決定したとき、この承諾に関する情報を端末装置に入力し、中央演算装置（１１）に送信する。
【００５７】  次に、患者等（４）の治療である。運営者（１）は、患者等（４）の数及び疾病等に関する情報を管理センター（１０）の中央演算装置（１１）に登録・格納し、それぞれ、実施者（３）及び開発者（２）の端末装置に送信する。患者等（４）は、端末装置から中央演算装置（１１）を介して、実施者（３）の端末装置に送受信し、再生医療について、実施者（３）から指導あるいは相談を受け、また、実際の治療を受けることができる。
【００５８】  最後に、再生医療技術による治療の過程から発生する費用は、実施者（３）が患者等（４）に請求できる培養費・治療費、また、運営者（１）が患者等（４）及び実施者（３）に請求できる運営手数料である。運営者（１）は、患者等（４）の数及び実施者（３）の数、また、実施者（３）の治療の回数及び内容に関する情報を中央演算装置（１１）に登録・格納し、この情報を事業者（２）（３）や患者等（４）の端末装置に送信する。
【００５９】  第三に、患者等（４）に対する実施の支援である。これは、再生医療を必要とする患者等（４）の種類に応じたものである。治療費の支払の容易あるいは困難を基準として、資金に余裕のある患者等、一括支払に躊躇する患者等、支払資金に窮する患者等に分類し、それぞれに対応した支援を提供する過程である。
【００６０】  一つは、幹細胞を採取・培養しかつ保管する幹細胞の預託（バンキング）である。国内外の資金に余裕のある患者等を対象として、将来の事故・発病・老化による再生医療を準備するために、幹細胞を預託し、再生医療の実施を支援するものである。通常の幹細胞治療では、事前適性検査・幹細胞採取・培養等のために、最低４０日を必要とするからである。
【００６１】  実施者（３）は、幹細胞預託に関する情報を端末装置に入力し、中央演算装置（１１）に送信する。運営者（３）は、この情報を中央演算装置（１１）に登録・格納し、インターネット（９）の掲示板に開示し、患者等（４）を募集する。これに応じて、将来の患者等（４）は、幹細胞預託に関する情報を考慮するとき、この情報を求めて、端末装置から中央演算装置（１１）に送信する。
【００６２】  そうすると、運営者（１）は、幹細胞預託の契約に関する情報を中央演算装置（１１）に登録・格納した後、将来の患者等（４）の端末装置に送信し、契約締結の諾否を求める。将来の患者等（４）は、預託契約を締結するとき、この情報を端末装置に入力し、中央演算装置（１１）に送信する。実施者（３）は、将来の患者等（４）から幹細胞を採取・培養しかつ保管する。
【００６３】  幹細胞預託から発生する費用は、実施者（３）が将来の患者等（４）に請求する培養費・保管料、また、運営者（１）が将来の患者等（４）及び実施者（３）に請求する運営手数料である。運営者（１）は、将来の患者等（４）の数及び実施者（３）の数、また、実施者（３）の保管の回数及び内容に関する情報を中央演算装置（１１）に登録・格納し、この情報を事業者（２）（３）の端末装置に送信する。
【００６４】  二つは、観光旅行と再生医療を合わせた旅行随伴治療（メディカル・ツーリズム）である。国内外の資金に余裕のある患者等（４）を対象として、患者等（４）が、観光旅行を楽しみながら、人間ドックを含め、再生医療を受診する機会を提供することによって、再生医療の実施を促進するものである。
【００６５】  旅行社（１９）は、旅行随伴再生医療に関する情報を端末装置に入力し、管理センター（１０）の中央演算装置（１１）に送信する。運営者（１）は、この情報を中央演算装置（１１）に登録・格納し、インターネット（９）の掲示板に開示する。これに応じて、患者等（４）は、旅行随伴再生医療を考慮するとき、この情報を求めて、端末装置から中央演算装置（１１）に送信する。
【００６６】  そうすると、運営者（１）は、旅行随伴再生医療の契約に関する情報を中央演算装置（１１）に登録・格納した後、患者等（４）の端末装置に送信し、契約締結の諾否を求める。患者等（４）は、契約の締結をするとき、この情報を端末装置に入力し、中央演算装置（１１）に送信する。患者等（４）は、旅行社（１９）と実施者（３）の支援によって、旅行に伴って治療を受ける。
【００６７】  旅行随伴治療から発生する費用は、実施者（３）が患者等（４）に請求する治療費・培養費、旅行社（１９）が患者等（４）に請求する旅行代金、また、運営者（１）が実施者（３）及び旅行社（１９）と患者等（４）に請求する運営手数料である。運営者（１）は、実施者（３）及び旅行社（１９）と患者等（４）の数、また、実施者（３）の治療の回数及び内容に関する情報を中央演算装置（１１）に登録・格納し、この情報を事業者（２）（３）（１９）の端末装置に送信する。
【００６８】  三つは、再生医療の治療費の支払を容易にするために、患者等（４）に対する銀行融資と保険の適用である。治療費の一括支払に躊躇する患者等（４）を対象として、銀行と保険会社の支援を受けて、銀行（１９）から借受けた資金又は保険会社（１９）からの保険金を治療費の支払にあてることによって、再生治療の実施を促進するものである。
【００６９】  銀行や保険会社は、治療費の融資及び保険の適用に関する情報を端末装置から中央演算装置（１１）に送信する。運営者（１）は、これらの情報を中央演算装置（１１）に登録・格納し、この情報をインターネット（９）の掲示板に開示し、患者等（４）を募集する。これに応じて、患者等（４）は、銀行融資又は保険を考慮するとき、この情報を求めて、端末装置から中央演算装置（１１）に送信する。
【００７０】  そうすると、運営者（１）は、銀行の融資又は保険の適用の契約に関する情報を中央演算装置（１１）に登録・格納した後、患者等（４）の端末装置に送信し、契約締結の諾否を求める。患者等（４）は、この契約を締結するとき、この情報を端末装置に入力し、中央演算装置（１１）に送信する。患者等（４）は、銀行（１９）又は保険会社（１９）の支援により、融資や保険金の支払を受ける。
【００７１】  融資又は保険から発生する費用は、運営者（１）が患者等（４）及び銀行（１９）や保険会社（１９）に請求する運営手数料である。運営者（１）は、融資又は保険を利用した患者等（４）の数及び銀行（１９）や保険会社（１９）の数、また、融資又は保険を利用した数及び内容に関する情報を中央演算装置（１１）に登録・格納し、この情報を事業者（２）（３）（１９）の端末装置に送信する。
【００７２】  四つは、再生医療の治療費の支払が困難を解消するために、患者等（４）に対する治療費の支援である。これは、生活に困窮し、治療費を支払えない患者等（４）、特に、近時深刻化する福島原発の被爆者を対象として、患者等を人道的に支援して、治療費の社会的な負担を実現し、再生医療の実施を促進するものである。
【００７３】  運営者は、治療費の社会的支援に関する情報を中央演算装置（１１）に登録・格納した後、インターネット（９）の掲示板に開示し、企業（１９）、特に、出版社や放送局、電力や原発関連メーカー、生命保険会社、銀行や証券会社等に協賛を呼び掛ける。これに応じて、企業（１９）は、この支援を考慮するとき、この情報を求めて、端末装置から中央演算装置（１１）に送信する。
【００７４】  そうすると、運営者（１）は、治療費の社会的な支援の協賛契約に関する情報を中央演算装置（１１）に登録・格納した後、それぞれの企業（１９）の端末装置に送信し、この協賛の賛否を求める。企業（１９）は、社会的支援の協賛契約の締結を決定したとき、この情報を端末装置に入力し、中央演算装置（１１）に送信する。
【００７５】  運営者（１）は、社会的支援をする企業（１９）の名称及び数に関する情報を中央演算装置（１１）に登録・格納し、それぞれの企業（１９）を始め、患者等（４）及び事業者（２）（３）の端末装置に送信し、また、インターネット（９）の掲示板に社会的な貢献をする企業名を公表する。
【００７６】  企業（１９）は、例えば、協賛マークを使用し、また、商品やサービスの販売・提供の割合及び消費者の貯めたポイントの割合に応じて一定金額を寄付する。企業（１９）は、この寄付金に関する情報を端末装置に入力し、中央演算装置（９）に送信する。運営者（１）は、企業（１９）から受けた情報を中央演算装置（１１）に登録・格納し、この情報を事業者（２）（３）（１９）及び患者等（４）の端末装置に送信する。
【００７７】  治療費の社会的な負担から発生する費用は、企業（１９）の売り上げに伴う協賛金と消費者のポイントによる協賛金である。運営者（１）は、企業と消費者の数、また、企業名に関する情報を中央演算装置（１１）に登録・格納し、この情報を企業（１９）のみならず、事業者（２）（３）（１９）及び患者等（４）の端末装置にも送信する。
【実施例】
【００７８】  本発明の実施例は、次の通りである。【００７９】  先ず、図１及び図２に記した通り、運営者（１）は、開発者（２）及び実施者（３）を募集するために、再生医療の授受に関する情報を管理センターの中央演算装置（１１）に登録・格納した後、この情報をインターネット（９）の掲示板に掲載する。これに応じて、この情報に関心を有する開発者（２）及び実施者（３）は、端末装置から中央演算装置（１１）に問い合わせをすると、運営者（１）は、業務連携契約の締結に関する情報を中央演算装置（１１）に登録・格納し、開発者（２）や実施者（３）の端末装置に送信する。開発者（２）及び実施者（３）は、この契約を締結するとき、この承諾に関する情報を端末装置に入力し、中央演算装置（１１）に送信する。開発者（２）は、端末装置から、中央演算装置（１１）を介して、実施者（３）の端末装置に送受信し、再生医療技術に関する情報を供与する（１７）。【００８０】  次に、図１及び図２に記した通り、運営者（１）は、患者等（４）を募集するために、再生医療の治療案内に関する情報を中央演算装置（１１）に登録・格納した後、この情報をインターネット（９）の掲示板に掲載する。これに応じて、この情報に関心を有する患者等（４）は、端末装置から中央演算装置（１１）に問い合わせをすると、運営者（１）は、医療連携契約の締結に関する情報を中央演算装置（１１）に登録・格納し、患者等（４）の端末装置に送信する。患者等（４）は、この契約を締結するとき、この承諾に関する情報を端末装置に入力し、中央演算装置（１１）に送信する。運営者（１）は、患者等（４）の数及び疾病に関する情報を中央演算装置（１１）に登録・格納し、実施者（３）及び開発者（２）の端末装置に送信する。患者等（４）は、端末装置から、中央演算装置（１１）を介して、実施者（３）の端末装置に送受信し、再生医療について、実施者（３）から指導あるいは相談を受け、また、実際の治療（１８）を受けることがきる。【００８１】  更に、図３に記した通り、運営者（１）は、管理センター（１０）を通して、幹細胞の採取及び保管をする預託（バンキング）に関する業務連携契約を実施者（３）と締結することによって、将来の患者等（４）の募集を通して、将来の患者等（４）を実施者（３）に紹介（７）して幹細胞の預託を受けさせる過程、かつ、これに起因する費用を明確にする過程を管理し、または、観光旅行と再生治療を兼ね合わせた旅行随伴医療（メディカル・ツ−リズム）に関する業務連携契約を旅行者（１９）及び実施者（３）と締結することによって、患者等（４）の募集を通して、患者等（４）を旅行者（１９）及び実施者（３）に紹介して旅行随伴医療を受けさせる過程、かつ、これに起因する過程を管理する。【００８２】  更に、図３に記した通り、運営者（１）は、管理センタ−（１０）を通して、銀行の融資又は保険の適用に関する業務連携契約を銀行（１９）又は保険会社（１９）と締結することによって、患者等（４）の募集を通して、患者等（４）を銀行（１９）又は保険会社（１９）に紹介して銀行の融資又は保険の適用を受けさせる過程、かつ、これに起因する費用を明確にする過程を管理する。【００８３】  更に、図３に記した通り、運営者（１）は、管理センタ−（１０）を通して、再生医療の治療費に困窮する患者等（４）を社会的に支援する協賛契約を多数の企業（１９）と締結することによって、企業（１９）の募集を通して、企業（１９）の協賛金を集めて患者等（４）の治療費に当てる過程、かつ、これに起因する費用を明確にする過程を管理する。
【符号の説明】
【００８４】  １  運営者
２  開発者
３  実施者
４  患者等
５  再生医療技術の収集情報
６  再生医療技術の供与情報
７  再生医療の紹介情報
８  再生医療の実施情報
９  インターネット
１０  管理センター
１１  中央演算装置
１２  通信手段
１３  記憶手段
１４  管理手段
１５  検索手段
１６  蓄積手段
１７  再生医療の技術供与
１８  再生医療の治療実施
１９  実施支援者
２０  再生医療の実施支援情報
２１  再生医療の実施支援の連携
２２  再生医療の実施支援
【図１】
2013127762.tif 000003
【図２】
2013127762.tif 000004
【図３】
2013127762.tif 000005